(57)【要約】【課題】  植物を乾燥するための加工方法において、加工しようとする植物の種類によらず、変色・褪色、皺、縮み等を抑えることが可能で、かつ、容易に実現可能な方法を提供する。【解決手段】  上面が開口した容器１１にシート状乾燥剤２１を入れ、さらに、砂２２と生花３とを、生花３が砂２２に埋もれるように入れる。砂２２が漏れ出さないよう容器１１にカバー２３を装着し、容器１１及びカバー２３の全体を密封用袋２４に入れ、密封用袋２４内の空気を減圧脱気して密封する。【選択図】  図２ 
2005255620.tif 000002
【特許請求の範囲】
【請求項１】
粒状体の中に加工対象の植物を埋めて、乾燥剤とともに前記粒状体および前記植物を密封することを特徴とする植物の加工方法。
【請求項２】
容器内に、前記粒状体と、前記植物と、前記乾燥剤とを入れて前記容器を密封することを特徴とする請求項１記載の植物の加工方法。
【請求項３】
前記容器内の空気を減圧脱気して前記容器を密封することを特徴とする請求項２記載の植物の加工方法。
【請求項４】
前記粒状体の粒径が０．５ミリメートル以下であることを特徴とする請求項１から３のいずれかに記載の植物の加工方法。
【請求項５】
前記粒状体の粒径が０．１ミリメートル以上０．３ミリメートル以下であることを特徴とする請求項１から４のいずれかに記載の植物の加工方法。
【請求項６】
前記粒状体は、砂、焼き砂、金属粒、ガラス粒、セラミックスを粒状に形成したもの、及び、合成樹脂を粒状に形成したもののうち、いずれか１以上を含むものであることを特徴とする請求項１から５のいずれかに記載の植物の加工方法。
【請求項７】
前記粒状体におもりを載せて前記粒状体とともに密封し、前記おもりが前記植物の上側に位置する状態で放置することを特徴とする請求項１から６のいずれかに記載の植物の加工方法。
【請求項８】
前記植物を押圧体によって押圧した状態で、前記植物を前記粒状体に埋めることを特徴とする請求項１から７のいずれかに記載の植物の加工方法。
【請求項９】
前記乾燥剤は、塩化カルシウム、酸化カルシウム、塩化リチウム、塩化マグネシウム、及びこれらの水和物、無水硫酸マグネシウム、シリカゲルのうちいずれかを含むものであることを特徴とする請求項１から８のいずれかに記載の植物の加工方法。
【請求項１０】
加工対象の植物を収容する密閉可能な容器と、
前記容器内に前記植物を収容した状態において前記植物の周囲を埋めることが可能な量の粒状体と、
乾燥剤と、
を含むことを特徴とする植物加工用具。
【発明の詳細な説明】
【技術分野】
【０００１】
本発明は、生の植物を加工する植物の加工方法、及び、この植物の加工方法に用いる植物加工用具に関する。
【背景技術】
【０００２】
花を保存する方法としてドライフラワーが知られている。ドライフラワーは、生花を乾燥させれば作ることができるが、乾燥に伴って、花が著しく縮み、花弁、葉、茎等の表面に多数の皺が生じる。さらに、黄色や黄褐色に変色する場合や、著しく褪色する場合がある。そして、これらの変化により、ドライフラワーの外観は生花とは全く異なるものとなってしまう。
そこで、上述した縮み、皺、変色・褪色を抑制することで、外観が生花に近く、美しいドライフラワーを作成するための方法が、種々提案されてきた。
【０００３】
例えば、生花を短時間で強力に冷却し、凍結させた状態で乾燥させる方法があった。この方法によれば、乾燥による花の変色を抑制できる等の利点がある。しかしながら、この方法には特殊な冷却剤を用いる必要があるため、非常に大規模かつ高価な装置が必要となり、多額のコスト負担が生じ、容易に実施できないという問題があった。
また、例えば、生花を特殊な溶剤に浸して水分を除去する方法があった。しかし、この方法では溶剤の取り扱いに注意を要するため、容易に実施できないという問題があった。
【０００４】
また、例えば、粒状のシリカゲルの中に生花を埋めて乾燥させることにより、ドライフラワーを作成する方法があった。この方法は、比較的短時間で花を乾燥させることができ、手軽に実現できるという利点を有する。
しかしながら、この方法では、シリカゲルの粒が花弁等に接触して水分を吸収するために、シリカゲルの粒と花弁等が強固に付着してしまうことがあった。この場合、シリカゲルの粒を花弁等から引きはがす作業が必要になるが、この作業によりシリカゲルの粒に引っ張られて花弁が破れてしまうことがあり、慎重に作業をしなければならなかった。このため、花弁が薄く破れやすい花（例えば、キキョウ等）は、上記方法には不向きであるとされ、その他の花であっても作業に時間がかかるため、効率が悪いという問題があった。また、この方法は、シリカゲルの粒が花弁等の隙間に入り込むことによって、短時間で花全体を乾燥させるものである。当然のことながら、シリカゲルの粒径より狭い隙間にシリカゲルの粒を入れることはできないから、小さな花（レースフラワー等）のドライフラワーを作成する場合には不向きであった。
このように、粒状のシリカゲルを用いる方法は、作業効率が悪くなることがある上、ある種の花や草木には不向きであるという問題があった。
【発明の開示】
【発明が解決しようとする課題】
【０００５】
そこで、本発明は、生の植物を乾燥するための加工方法において、加工しようとする植物の種類によらず、変色・褪色、皺、縮み等を抑えることが可能であり、容易に実現可能な方法を提供することを目的とする。
【課題を解決するための手段】
【０００６】
上記の目的を達成するために、本発明は、次のような特徴を備えている。なお、次に示す説明中、括弧書きにより実施の形態に対応する構成を一例として示す。符号等は、後述する図面参照符号等である。
【０００７】
本発明は、粒状体（例えば、後述する砂２２）の中に加工対象の植物（例えば、後述する生花３，３ａ）を埋めて、乾燥剤（例えば、後述するシート状乾燥剤２１）とともに前記粒状体および前記植物を密封することを特徴とする植物の加工方法である。
【０００８】
また、本発明において、容器（例えば、後述する容器１１，１２，１３，１４，１５，１６，１７及び密封用袋２４）内に、前記粒状体と、前記植物と、前記乾燥剤とを入れて前記容器を密封するようにしても良い。
【０００９】
また、本発明において、前記容器内の空気を減圧脱気して前記容器を密封するようにしても良い。
【００１０】
また、本発明において、前記粒状体の粒径を、０．５ミリメートル以下としても良い。
【００１１】
また、本発明において、前記粒状体の粒径を、０．１ミリメートル以上０．３ミリメートル以下としても良い。
【００１２】
また、本発明において、前記粒状体を、砂、焼き砂、金属粒、ガラス粒、セラミックスを粒状に形成したもの、及び、合成樹脂を粒状に形成したもののうち、いずれか１以上を含むものとしても良い。
【００１３】
また、本発明において、前記粒状体におもり（例えば、後述するおもり２７）を載せて前記粒状体とともに密封し、前記おもりが前記植物の上側に位置する状態で放置するようにしても良い。
【００１４】
また、本発明において、前記植物を押圧体（例えば、後述する押さえ網２９）によって押圧した状態で、前記植物を前記粒状体に埋めるようにしても良い。
【００１５】
また、本発明において、前記乾燥剤を、塩化カルシウム、酸化カルシウム、塩化リチウム、塩化マグネシウム、及びこれらの水和物、無水硫酸マグネシウム、シリカゲルのうちいずれかを含むものとしても良い。
【００１６】
また、本発明は、加工対象の植物を収容する密閉可能な容器と、前記容器内に前記植物を収容した状態において前記植物の周囲を埋めることが可能な量の粒状体と、乾燥剤と、を含む植物加工用具である。
【発明の効果】
【００１７】
本発明によれば、植物を粒状体に埋めた状態で、植物に含まれる水分を乾燥剤により吸収することで、植物を素早く乾燥させることができる。このため、植物の変色や褪色が生じない程度の短時間で植物を乾燥させ、例えばドライフラワーにすることができる。また、乾燥中において、植物の各部（花弁やがく等）は粒状体の重みにより押圧され、乾燥前の形状及びサイズを保つように支持されているので、乾燥の過程において皺を生じない上、縮みが効果的に抑制される。また、植物には、花弁と花弁の間や花弁とがくの間など、狭い隙間が存在するが、これらの隙間に粒状体が入り込むので、植物の複数の部分が互いに密着してしまうことがなく、これらの隙間における通気性が保たれる。従って、植物の形を崩すことなく、植物を乾燥させることができる。さらに、細部にわたって粒状体によって植物を押圧し、支持することができるので、皺や縮みを確実に抑制できる。
また、本発明の植物の加工方法においては、容器、乾燥剤、粒状体の各材料を用いる。これら各材料の中に格別高価なものは無く、安全性の面で取り扱いに注意を要するものも無い。すなわち、本発明によれば、手軽に取り扱うことが可能な材料により、植物を乾燥する際に生じる皺や縮み、変色、褪色といった美観上の問題を全て解決し、極めて美しい状態でドライフラワー等を作ることができる。
【００１８】
また、容器内の空気を減圧脱気して容器を密封する場合、減圧脱気により空気に含まれる水分が除去されるため、迅速かつ効率よく植物を乾燥させることができる。また、減圧脱気によって、容器内部の粒状体及び植物は、大気圧によって押圧されることとなる。このため、粒状体に埋められた植物が粒状体の重量を超える力で押圧されるので、植物の皺や縮みを、より確実に抑制できる。また、植物が減圧環境下におかれることで、植物に含まれる水分が外へ放出されやすくなるので、短時間で植物を乾燥させることができる。さらに、減圧脱気によって植物に触れる酸素が極めて少量になるため、植物の酸化が強く抑制される。これにより、植物の変色や褪色を確実に防止できる。
【００１９】
さらに、粒状体の粒径が０．５ミリメートル以下、或いは、０．３ミリメートル以下である場合、粒状体の粒径が小さいので、例えば小さな花における花弁と花弁の隙間のような非常に狭い隙間にも粒状体を入れることができ、小さな植物であっても何ら問題なく加工できる。さらに、粒径が０．１ミリメートル以上であれば、粒状体が存在する箇所において十分な通気性を確保することができるという利点がある。
【００２０】
また、粒状体が、砂、焼き砂、金属粒、ガラス粒、セラミックスを粒状に形成したもの、及び、合成樹脂を粒状に形成したもののうち、いずれか１以上を含むものである場合、粒状体自体に植物の水分を吸着除去する機能が殆どないので、粒状体が植物の花弁等に強固に付着することが無い。このため、植物から粒状体を取り除くことは極めて容易であり、例えば花弁が薄く破れやすい花であっても、何ら問題なく加工できる。
【００２１】
また、粒状体におもりを載せて粒状体とともに密封し、おもりが植物の上側に位置する状態で放置する場合、乾燥中の植物に対して、粒状体の重量を超える力を加えることができる。これにより、植物における皺や縮みの発生をより確実に抑制できる。
【００２２】
また、植物を押圧体によって押圧した状態で植物を粒状体に埋める場合、加工後の植物は、生の状態から少し潰れた状態となる。このため、例えば、花を加工した場合には、押し花のような趣のあるドライフラワーを作ることができる。
【発明を実施するための最良の形態】
【００２３】
［第１の実施の形態］
以下、本発明の実施の形態を図面に基づき説明する。
図１及び図２は、本発明の花の加工方法を適用した第１の実施の形態を説明するための図である。図１（ａ）〜（ｄ）及び図２（ａ）〜（ｃ）は、第１の実施の形態に係る植物の加工方法における各工程を示す。
【００２４】
第１の実施の形態に係る植物の加工方法においては、容器１１、シート状乾燥剤２１、砂２２、カバー２３及び密封用袋２４を用いる。
【００２５】
容器１１は、上面が開口した直方体形状の容器であり、第１の実施の形態に係る植物の加工方法で用いる砂２２等の重量、及び、後述する減圧脱気を行う際に加わる圧力に耐え得る程度（破壊されない程度）の強度を有する。
シート状乾燥剤２１は、乾燥機能を有するシートであり、例えば、各種乾燥剤を紙や布に付着させたもの、或いは、各種乾燥剤をシート状に加工したものである。
砂２２は、所定の密度及び粒径を有する砂である。
カバー２３は、砂２２の表面を覆うことにより砂２２を容器１１の外へ流出させないためのカバーであり、所定の通気性を有する。従って、カバー２３は、砂２２の粒径に比して細かい孔（目）が形成されていると好ましい。
【００２６】
密封用袋２４は、気密性を有する合成樹脂製の袋である。密封用袋２４は、後述するように密封する必要があるので、熱により溶着可能なものや、密封をするためのファスナー等が形成されたものが好ましい。
【００２７】
図１及び図２を参照して、具体的な手順について説明する。
図１（ａ）に示すように、まず第１工程として、容器１１内の底部にシート状乾燥剤２１を敷き、次に第２工程として、少量の砂２２を入れる。
第２工程において容器１１に入れる砂２２は、生花３の下端を埋めて生花３を安定させるためのものであり、その量は特に限定されないが、第２工程で入れる砂２２の量が多すぎると、生花３が容器１１の上端からはみ出してしまい、砂２２の量が少なすぎると、生花３を安定させることができないので、容器１１のサイズ及び生花３のサイズを勘案して決めることが望ましい。
【００２８】
続いて、図１（ｂ）及び図１（ｃ）に示すように、第３工程として、砂２２の上に生花３を置く。ここで、生花３の下端を砂２２に埋めて生花３を安定させると良い。なお、生花３の位置は、生花３が容器１１の内面に接しないように、容器１１のほぼ中央にすると良い。
【００２９】
ここで、図１（ｄ）に示すように、第４工程として、生花３が完全に埋まるまで砂２２を容器１１に入れる。第４工程においては、生花３の狭い隙間、例えば花弁と花弁の間、花弁とがく片の間にも砂２２が入り込み、生花３の周囲が完全に砂２２に埋まるようにすることが好ましい。また、生花３の上端まで完全に砂２２に埋まり、砂２２の投入が完了した後、砂２２の上面を平らにならす作業を行うと、さらに好ましい。
【００３０】
その後、第５工程において、図２（ａ）に示すように、砂２２の上面にシート状乾燥剤２１を置く。さらに、図２（ｂ）に示すように、第６工程において、容器１１の上部を覆うようにカバー２３をかぶせて容器１１に固定する。第６工程においては、容器１１内の砂２２が外側にこぼれ出ないように、例えば容器１１の側面をカバー２３ごと紐や輪ゴムにより縛って固定すると良い。
そして、第７工程において、容器１１及びカバー２３の全体を密封用袋２４に入れ、密封用袋２４内の空気を強制的に減圧脱気して、減圧された状態で密封用袋２４を密封する。密封用袋２４内の空気を減圧脱気する際には、真空ポンプや排気ポンプ等を用いると良い。また、密封用袋２４を密封する方法としては、例えば、密封用袋２４の開口端を加熱して溶着する方法や、密封用袋２４の開口部に予めファスナー部を設け、減圧された状態でファスナーを閉じる方法が挙げられる。
【００３１】
以上の第１〜第７工程が完了した状態を、図２（ｃ）に示す。この状態で、数時間から数日乃至数週間放置することにより、生花３が乾燥する。乾燥完了後、密封用袋２４を開封し、砂２２の中から生花３を取り出すことにより、ドライフラワーを得ることができる。なお、砂２２は、通気性を確保しながら生花３の花弁等を押圧し、支持するものであって、生花３の水分を吸収して生花３を乾燥させるものではない。従って、砂２２が生花３に強固に付着してしまうことは無く、生花３の花弁の隙間等に入り込んだ砂２２は、例えば、生花３を逆さにして振り落とす、筆で払い落とす等の作業により容易に除去できる。
【００３２】
なお、上記第７工程が完了した後に放置する間、密封用袋２４を開封して、砂２２が湿気を含んでいるか否かにより生花３の乾燥度合いを調べても良い。ここで生花３の乾燥が不十分であった場合は、新たなシート状乾燥剤２１を追加したり、シート状乾燥剤２１を新しいものに交換したりしても良い。この場合、上記作業の完了後に再び密封用袋２４内の空気を強制的に減圧脱気して密封用袋２４を密封して、さらに数時間から数日乃至数週間放置すれば良い。
【００３３】
図３は、上記第１の実施の形態に係る植物の加工方法を実際に試行した例について、加工した花の縮みを測定した結果を示す図表である。図３（ａ）には測定方法を示し、図３（ｂ）には花の縮みに関する測定値及び計算値を示す。
【００３４】
図３に示す結果は、高さ８．１ｃｍ（センチメートル）、直径８ｃｍ、容量２７０ｍｌ（ミリリットル）の円筒形の容器を容器１１に代えて用い、シート状乾燥剤２１として４ｃｍ×２８ｃｍのシート２４枚を用い、砂２２として約３００ｇ（グラム）の焼き砂を用いて、重量約４ｇのバラの花を加工した例における結果である。
この例で用いたシート状乾燥剤２１は、２２ｃｍ×２８ｃｍの長方形のもの（市販品）を切断したものである。このシート状乾燥剤２１は、２２ｃｍ×２８ｃｍの長方形のシート１２枚で約１５ｇの水分を吸収することが可能なものであり、この例で用いた量（４ｃｍ×２８ｃｍのシート２４枚）は約５．５ｇの水分を吸収可能な量に相当する。なお、この例では、長方形のシート状乾燥剤２１を円筒形の容器に入れるため、シート状乾燥剤２１を筒状に巻き、円筒形の容器の側面に沿うように収容した。そして、シート状乾燥剤２１を入れた後に、上述した手順に従って、砂２２を投入し、続いて、生花３及び砂２２を投入した。
【００３５】
なお、図３には、対照的な例として、シリカゲルの粒を用いた方法により同様の花（重量約４ｇのバラの花）を加工した結果を示す。この例では約３００ｇの粒状シリカゲルを用いた。
【００３６】
さて、花の縮みを求めるにあたっては、図３（ａ）に示すように、花の高さ（図中符号Ａ）を測定した。花を加工する前後において符号Ａで示すサイズを測定し、その測定値を用いて下記式（１）に示す演算を行って、収縮率を求めた。
【数１】
2005255620.tif 000003
上記式（１）により求められる収縮率は、収縮によるサイズの減少分の指標であり、収縮率が低いほど、縮みが少ないといえる。
【００３７】
図３（ｂ）に示すように、第１の実施の形態に係る方法によりバラの花を加工した例において、図３（ａ）中に符号Ａで示すサイズは、生花の状態で４．２１ｃｍであったが、ドライフラワーでは３．３２ｃｍとなった。収縮率は２１．１％と求められた。
一方、粒状シリカゲルを用いた方法によりバラの花を加工した例において、図３（ａ）中符号Ａで示すサイズは、生花の状態で４．１７ｃｍであったが、ドライフラワーでは３．１１ｃｍとなった。収縮率は２５．４％と求められた。
【００３８】
図３（ｂ）に示す結果から、本発明を適用した第１の実施の形態に係る植物の加工方法と、従来の粒状シリカゲルを用いた方法との間において、収縮率に有意な差が認められる。すなわち、第１の実施の形態に係る植物の加工方法によれば、従来の方法に比べて、花の収縮が明らかに抑制され、より生花のサイズに近いドライフラワーが得られたといえる。
【００３９】
また、図３に示すように第１の実施の形態に係る植物の加工方法を試行した際に得られたドライフラワーは、生花の状態における形状、サイズ、色が極めて良好に残され、非常に美しいものとなった。特に形状については、対照例として行ったシリカゲルの粒を用いた方法により得られたドライフラワーに比べ、明らかに、生花の状態に近いものであった。これは、砂２２によって生花３が自然な状態で支持されたことによる。
【００４０】
以上のように、第１の実施の形態に係る植物の加工方法によれば、生花３を乾燥させてドライフラワーを作成するにあたって、生花３を砂２２に埋めた状態で、生花３に含まれる水分をシート状乾燥剤２１により吸収することで、生花３を素早く乾燥させることができる。このため、生花３の変色や褪色が生じない程度の短時間でドライフラワーにすることができる。また、乾燥中、生花３の各部（花弁やがく等）は砂２２の重みにより押圧され、乾燥前の形状及びサイズを保つように支持されているので、乾燥の過程において皺を生じない上、縮みが効果的に抑制される。
また、生花３には、花弁と花弁の間や花弁とがくの間など、狭い隙間が存在するが、これらの隙間に砂２２が入り込むので、生花３の複数の部分が互いに密着してしまうことがなく、これらの隙間における通気性が保たれる。従って、生花３の形を崩すことなく、生花３を乾燥させることができる。さらに、細部にわたって砂２２によって生花３を押圧し、支持することができるので、皺や縮みを確実に抑制できる。
また、砂２２自体に、生花３の水分を吸着除去する機能は殆どない。このため、砂２２が生花３の花弁等に強固に付着することは無く、生花３から砂２２を取り除くことは極めて容易である。従って、花弁が薄く破れやすい花であっても、何ら問題なく加工できる。さらに、砂２２の粒径が小さければ、小さな花における非常に狭い隙間にも砂２２を入れることができる。粒径の小さな砂２２を調達することは至極容易であるから、小さな花であっても何ら問題なく加工できる。
【００４１】
また、第１の実施の形態に係る植物の加工方法においては、容器１１及びカバー２３の全体を密封用袋２４に入れて減圧脱気して、密封用袋２４を密封する。これにより、密封用袋２４内の空気に含まれる水分が除去されるため、シート状乾燥剤２１は、ほぼ生花３の水分のみを吸収すれば良い。このため、迅速かつ効率よく、生花３を乾燥させることができる。また、減圧脱気によって、密封用袋２４と、その内部の砂２２及び生花３は、大気圧によって押圧されることとなる。このため、砂２２に埋められた生花３が、砂２２の重量以上の力で強く押圧されるので、生花３の皺や縮みを、より確実に抑制できる。また、生花３が減圧環境下におかれることで、生花３に含まれる水分が外へ放出されやすくなるので、短時間で生花３を乾燥させることができる。さらに、密封用袋２４内の空気を脱気することによって生花３に触れる酸素が極めて少量になるため、生花３の酸化が強く抑制される。これにより、生花３の変色や褪色を確実に防止できる。
【００４２】
そして、第１の実施の形態に係る植物の加工方法は、容器１１、シート状乾燥剤２１、砂２２、カバー２３、及び密封用袋２４の各材料を用いる。これら各材料の中に格別高価なものは無く、安全性の面で取り扱いに注意を要するものも無い。
すなわち、本発明を適用した第１の実施の形態に係る植物の加工方法によれば、手軽に取り扱うことが可能な材料により、皺や縮み、変色、褪色といった美観上の問題を全て解決し、極めて美しいドライフラワーを作ることができる。また、小さな花や花弁が薄く壊れやすい花であっても、簡単にドライフラワーにすることができる。
【００４３】
［変形例］
ここで、第１の実施の形態の変形例について、図４及び図５を参照して説明する。
図４（ａ）には、略円筒形状の容器１２を複数用いる例を示す。すなわち、上記第１〜第６工程の作業により、複数の容器１２のそれぞれに、シート状乾燥剤２１（図示略）、砂２２及び生花３を入れてカバー２３をかぶせる。そして、上記第７工程において、カバー２３をかぶせた容器１２を複数並べ、これら複数の容器１２を一つの密封用袋２４に入れ、密封用袋２４内の空気を強制的に減圧脱気して、密封用袋２４を密封する。
図４（ａ）に示す変形例によれば、第７工程における減圧脱気及び密封の作業を一回行うだけで複数の花を加工できるので、特に、多数の花を加工する場合に適している。
【００４４】
図４（ｂ）には、直方体の容器１３に複数の生花３を入れて加工する例を示す。生花３の数が異なることを除き、上記第１工程〜第７工程における作業は全く同様に行うことができる。図４（ｂ）に示す例も、多数の花を加工する場合に適している。
【００４５】
図４（ｃ）には、長い茎を残して切られた生花３ａを加工する例を示す。この例のように生花３ａが全体として細長い形状を有する場合は、直方体の容器１４内に複数の生花３ａを並べて配置し、上記第１〜第７工程の作業を行って加工できる。
【００４６】
また、図５（ａ）〜（ｃ）には、深底の円筒形状の容器１５を用いる例を示す。この例では、図５（ａ）に示すように、全体として細長い形状を有する１本の生花３ａを加工することも可能であるし、図５（ｂ）及び（ｃ）に示すように、複数の生花３を高さ方向に配置して加工することも可能である。この場合、図５（ｂ）に示すように、生花３と生花３との間を、容器１５の底面形状に合わせて成形したシート状乾燥剤２１により仕切るようにしても良いし、図５（ｃ）に示すように生花３と生花３との間を砂２２によって埋めても良い。
【００４７】
なお、図４（ｂ）、図４（ｃ）、図５（ｂ）及び図５（ｃ）に示すように、一つの容器内に複数の生花を入れて加工する場合、生花と生花が互いに触れないようにすると、より良好な仕上がりが期待できる。
【００４８】
［第２の実施の形態］
続いて、本発明の花の加工方法を適用した第２の実施の形態について説明する。
図６及び図７は、本発明の花の加工方法を適用した第２の実施の形態を説明するための図である。図６（ａ）〜（ｃ）及び図７（ａ）〜（ｃ）は、第２の実施の形態に係る植物の加工方法における各工程を示す。
なお、本第２の実施の形態及び後述する変形例において、上記第１の実施の形態及びその変形例と同様に構成される各部については、同符号を付して説明を省略する。
【００４９】
第２の実施の形態に係る植物の加工方法においては、シート状乾燥剤２１及び砂２２に加え、容器１７を用いる。容器１７は、ガラスまたは合成樹脂製の広口びんである。容器１７の上端面は開口しており、この開口部は蓋１８により密閉される。つまり、容器１７は、蓋１８によって気密性を保つことが可能である。
【００５０】
図６及び図７を参照して、具体的な手順について説明する。
図６（ａ）に示すように、まず第１工程として、容器１７の内寸に合わせて長方形に切断したシート状乾燥剤２１を丸めたものを、容器１７の内側面に沿うように配置する。なお、容器１７の内側面のシート状乾燥剤２１に加えて、容器１７の底面に円形のシート状乾燥剤２１を置いても良い。
【００５１】
続いて、上記第１の実施の形態と同様に第２工程及び第３工程の作業を行う。すなわち、第２工程として砂２２を入れ、次に、図６（ｂ）及び図６（ｃ）に示すように、第３工程として砂２２の上に生花３を置く。なお、第２工程において容器１７に入れる砂２２の量は、第１の実施の形態よりも多い方が好ましい。
【００５２】
ここで、図７（ａ）に示すように、第４工程として、生花３が完全に埋まるまで砂２２を容器１１に入れる。第４工程においては、生花３の狭い隙間、例えば花弁と花弁の間、花弁とがく片の間にも砂２２が入り込み、生花３の周囲が完全に砂２２に埋まるようにすることが好ましい。また、砂２２を、生花３が上端まで完全に砂２２に埋まり、さらに容器１７の開口部まで砂２２が達するまで入れると、容器１７内における空間が減少し、生花３の酸化の原因となる酸素が減少するので、より好ましい。
【００５３】
続く第５工程においては、容器１７に蓋１８を取り付けて、シート状乾燥剤２１、砂２２及び生花３を密封する。
【００５４】
以上の第１〜第５工程が完了した状態を、図７（ｂ）に示す。この状態で、図７（ｃ）に示すように容器１７を上下逆さまにして、数時間から数日乃至数週間放置することにより、生花３が乾燥する。乾燥完了後、蓋１８を開けて砂２２の中から生花３を取り出すことにより、ドライフラワーを得ることができる。
【００５５】
なお、上記第５工程が完了し、数時間から数日乃至数週間放置する間に、蓋１８を開けて、砂２２が湿気を含んでいるか否かにより生花３の乾燥度合いを調べても良いし、新たなシート状乾燥剤２１を追加したり、シート状乾燥剤２１を新しいものに交換したりすることも可能である。この場合、上記作業の完了後に再び蓋１８を閉めて、数時間から数日乃至数週間放置すれば良い。
【００５６】
図８は、上記第２の実施の形態に係る植物の加工方法を実際に試行した例について、加工した花の縮みを測定した結果を示す図表である。図８（ａ）には測定方法を示し、図８（ｂ）には花の縮みに関する測定値及び計算値を示す。
【００５７】
図８に示す結果は、上記第１の実施の形態において図３を参照して説明した例と同様に、第２の実施の形態に係る植物の加工方法を試行した例の結果である。すなわち、この例では、高さ８．１ｃｍ、直径８ｃｍ、容量２７０ｍｌの容器１７を用い、シート状乾燥剤２１として４ｃｍ×２８ｃｍのシート２４枚を用い、砂２２として約３００ｇの焼き砂を用いて、重量約４ｇのバラの花を加工した。この例で用いたシート状乾燥剤２１は、２２ｃｍ×２８ｃｍの長方形の市販品を切断したもので、上記の通り約５．５ｇの水分を吸収可能な量を用いた。
【００５８】
なお、図８には、対照例として、シリカゲルの粒を用いた方法により同様の花（重量約４ｇのバラの花）を加工した場合の結果を示す。この例では約３００ｇの粒状シリカゲルを用いた。
【００５９】
花の縮みを求めるにあたっては、図８（ａ）中に符号Ａで示す花の高さを測定した。花を加工する前後において符号Ａで示すサイズを測定し、その測定値を用いて上記式（１）に示す演算を行って、収縮率を求めた。
【００６０】
図８（ｂ）に示すように、第２の実施の形態に係る方法によりバラの花を加工した例において、図８（ａ）中符号Ａで示すサイズは、生花の状態で３．９８ｃｍであったが、ドライフラワーでは３．０１ｃｍとなった。収縮率は２４．４％と求められた。
一方、粒状シリカゲルを用いた方法によりバラの花を加工した例において、図８（ａ）中符号Ａで示すサイズは、生花の状態で４．１７ｃｍであったが、ドライフラワーでは３．１１ｃｍとなった。収縮率は２５．４％と求められた。
【００６１】
図８（ｂ）に示す結果から、本発明を適用した第２の実施の形態に係る植物の加工方法と、従来の粒状シリカゲルを用いた方法との間において、収縮率に有意な差が認められる。すなわち、第２の実施の形態に係る植物の加工方法によれば、従来の方法に比べて、花の収縮が抑制され、より生花のサイズに近いドライフラワーが得られたといえる。
【００６２】
また、図８に示すように第２の実施の形態に係る植物の加工方法を試行した際に得られたドライフラワーは、生花の状態における形状、サイズ、色が極めて良好に残され、非常に美しいものとなった。特に形状については、対照例として行ったシリカゲルの粒を用いた方法により得られたドライフラワーに比べ、明らかに、生花の状態に近いものであった。これは、砂２２によって生花３が自然な状態で支持されたことによる。
【００６３】
以上のように、第２の実施の形態に係る植物の加工方法によれば、上記第１の実施の形態と同様の効果が得られる。
すなわち、生花３の変色や褪色が生じない程度の短時間でドライフラワーにすることができ、乾燥中、生花３の各部が砂２２の重みにより押圧されるので、乾燥の過程において皺を生じない上、縮みが効果的に抑制される。また、生花３の隙間に砂２２が入り込むことで、生花３の形を崩すことなく生花３を乾燥させることができ、皺や縮みを確実に抑制できる。また、砂２２が生花３の花弁等に強固に付着することがないので、花弁が薄く破れやすい花であっても何ら問題なく加工できる。また、小さな花であっても、何ら問題なく加工し、ドライフラワーにすることができる。
【００６４】
また、第２の実施の形態に係る植物の加工方法によれば、第１〜第５工程の作業が完了した後、容器１７を上下逆さまにするので、生花３が下向きになり、第２工程において入れた分の砂２２によって生花３が下向きに押圧される。これにより、特に花弁のような広い面積を有する部分に対し、砂２２による押圧力が加わるので、生花３における皺の発生を抑制できる。
【００６５】
さらに、第２の実施の形態に係る植物の加工方法によれば、容器１７に、シート状乾燥剤２１と、砂２２と生花３とを入れて蓋１８を閉め、上下逆さまにして放置するだけで良い。特段に高価な材料や安全性の面で取り扱いに注意を要する材料を用いることなく、極めて簡単な作業により、極めて美しいドライフラワーを手軽に作ることができる。
【００６６】
［変形例］
ここで、第２の実施の形態の変形例について、図９及び図１０を参照して説明する。
図９（ａ）〜（ｄ）には、深底の円筒形状の容器１５を用いる例を示す。容器１５は、蓋１９により密閉できる。
【００６７】
図９（ａ）に示す例では、容器１５の底に近い位置に生花３を配置し、生花３の上に多量の砂２２が載っている。図９（ａ）に示す状態では、生花３の上方に位置する砂２２の重量が生花３に加わるので、容器１５を上下逆さまにしなくとも、生花３に対して十分な圧力が加わり、皺の発生を抑制できる。
【００６８】
図９（ｂ）に示す例では、生花３を容器１５の上部に配置する。すなわち、第２工程において、砂２２を容器１５の上部まで入れて、生花３を配置したものである。この例では、図９（ｂ）に示すように、蓋１９を閉めた後に容器１５を上下逆さまにすると、第２工程で入れた砂２２の重量が生花３に加わる。このため、生花３に対して十分な圧力が加わり、皺を抑制できる。
【００６９】
図９（ｃ）に示す例では、容器１５の底に近い位置に生花３を配置し、生花３の上に多量の砂２２が載っており、さらに、砂２２の上におもり２７を載せている。おもり２７は、岩石や陶磁器、金属、合成樹脂等からなる所定の重量を有する塊である。なお、第４工程においては、容器１５の上部に、おもり２７が入るだけの空間を残して砂２２を入れる。図９（ｃ）に示す状態では、生花３の上方に位置する砂２２の重量に加え、おもり２７の重量が生花３に加わるので、容器１５を上下逆さまにしなくとも、生花３に対して十分な圧力が加わり、皺の発生を抑制できる。
【００７０】
図９（ｄ）に示す例では、第２工程において、砂２２を入れる前におもり２７を容器１５の底に入れ、その後、砂２２を容器１５の上部まで入れてから、生花３を配置したものである。図９（ｄ）に示すように、蓋１９を閉めた後に容器１５を上下逆さまにすると、第２工程で入れた砂２２の重量と、おもり２７の重量が生花３に加わる。このため、生花３に対して十分な圧力が加わり、皺を抑制できる。
【００７１】
このように、図９（ａ）〜（ｄ）に示す例は、深底の円筒形状の容器１５を用いることにより、生花３に対して特に強い圧力を加えることができるので、皺が生じやすい花を加工する場合に好適である。
【００７２】
図１０（ａ）には、上記第１〜第４工程の作業が完了し、図７（ａ）に示すように容器１７にシート状乾燥剤２１、砂２２及び生花３が入った状態で、容器１７の全体を密封用袋２４に入れて密封用袋２４を密封し、その上から、おもり２７を載せる例を示す。すなわち、蓋１８を閉めて密封する代わりに密封用袋２４によってシート状乾燥剤２１、砂２２及び生花３を密封し、さらに、砂２２の上からおもり２７によって圧力を加える例である。
図１０（ａ）に示す例では蓋１８が必要ないので、蓋が無い容器を用いることができる。また、容器のサイズに余裕がなく、生花３の上または下に十分な量の砂２２を入れることができない場合であっても、おもり２７によって生花３に十分な圧力を加えることができる。このため、砂２２及び生花３を確実に保持可能であり、かつ、上面が開口していれば、どのような容器を用いても良いので、生花３のサイズに合わせて容器を選ぶことができる。
【００７３】
図１０（ｂ）は、直方体の容器１３に複数の生花３を並べて入れ、同時に複数の花を加工する例を示す。多数の花を加工する場合に好適である。なお、図１０（ｂ）に示す例において、生花３に対してより強い圧力を加えて皺を確実に抑制したい場合は、図１０（ａ）に示す例にならって、砂２２の上面におもり２７を載せれば良い。
【００７４】
図１０（ｃ）には、上記第１〜第４工程が完了した状態（図７（ａ））において、砂２２の上面と蓋１８との間に、クッション材２８を入れる例を示す。クッション材２８は、押圧力により弾性変形して復元力を発揮する弾性体であり、例えば、ウレタン、シリコンゴム、合成ゴム等を用いることができる。
図１０（ｃ）に示す例では、第４工程において、容器１７の上面付近まで砂２２を入れる際に、砂２２の上面と蓋１８との間隔がクッション材２８の高さよりも小さくなるようにする。蓋１８を閉めると、クッション材２８が砂２２と蓋１８とに挟まれて弾性変形する。そして、砂２２に対し、クッション材２８の復元力による圧力が加わる。
すなわち、図１０（ｃ）に示す例によれば、蓋を閉めることが可能な容器を用いる場合に、おもり２７を用いることなく、生花３に対して砂２２の重量を超える圧力を加えることができる。従って、生花３に対して、簡単に強い圧力を加え、生花３における皺の発生を抑えられる。
【００７５】
［第３の実施の形態］
次に、本発明を適用した第３の実施の形態に係る植物の加工方法について説明する。
図１１及び図１２は、本発明の花の加工方法を適用した第３の実施の形態を説明するための図である。図１１（ａ）〜（ｃ）及び図１２（ａ）〜（ｂ）は、第３の実施の形態に係る植物の加工方法における各工程を示す。
【００７６】
なお、本第３の実施の形態において、上記第１の実施の形態及びその変形例と同様に構成される各部については、同符号を付して説明を省略する。
【００７７】
第３の実施の形態に係る植物の加工方法は、第１の実施の形態に係る植物の加工方法を応用し、生花３を平面的に押圧することにより、押し花の趣のあるドライフラワーを作成するものである。
第３の実施の形態に係る植物の加工方法においては、薄型の直方体状の容器１６と、シート状乾燥剤２１と、砂２２と、密封用袋２４とを用い、さらに、生花３を押圧するための押さえ網２９を用いる。押さえ網２９は、合成樹脂製または金属製の平板状の網であり、目の大きさは砂２２の粒径よりも大きい。
【００７８】
図１１及び図１２を参照して、具体的な手順について説明する。
図１１（ａ）に示すように、まず第１工程として、容器１６内の底部にシート状乾燥剤２１を敷き、次に第２工程として、少量の砂２２を入れる。
【００７９】
続いて、図１１（ｂ）に示すように、第３工程として、砂２２の上に生花３を置き、生花３の上に押さえ網２９を載せて、生花３を押圧する。
【００８０】
ここで、図１１（ｃ）に示すように、第４工程として、生花３を押さえ網２９により押圧した状態で、生花３が完全に埋まるまで砂２２を容器１６に入れる。
この第４工程においては、生花３を、押さえ網２９を介して押圧しつつ、生花３の形状を整えると、より良好な仕上がりが期待できる。また、押さえ網２９のサイズが、生花３の被押圧面を全て覆うことが可能なサイズであれば、より良好な仕上がりが期待でき、好ましい。
【００８１】
その後、第５工程において、図１２（ａ）に示すように、砂２２の上面にシート状乾燥剤２１を置き、容器１６を叩く。この第５工程において用いるシート状乾燥剤２１は、容器１６の内寸に合わせて形成され、砂２２の上面を覆うことが可能であれば、より好ましい。
また、第５工程において容器１６を叩く作業は、砂２２の上面を平らにならすことで、砂２２の上のシート状乾燥剤２１を安定させ、さらに、押さえ網２９の網目の中にも十分に砂２２が行き渡るようにする効果がある。
【００８２】
その後、第６工程において、容器１６の全体を密封用袋２４に入れ、密封用袋２４内の空気を強制的に減圧脱気して、減圧された状態で密封用袋２４を密封する。密封用袋２４内の空気を減圧脱気する際には、真空ポンプや排気ポンプ等を用いると良い。また、密封用袋２４を密封する方法としては、例えば、密封用袋２４の開口端を加熱して溶着する方法や、密封用袋２４の開口部に予めファスナー部を設け、減圧された状態でファスナーを閉じる方法が挙げられる。
【００８３】
以上の第１〜第６工程が完了した状態を、図１２（ｂ）に示す。この状態で、数時間から数日乃至数週間放置することにより、生花３が乾燥する。乾燥完了後、密封用袋２４を開封し、砂２２の中から生花３を取り出すことにより、ドライフラワーを得ることができる。ここで得られるドライフラワーは、押さえ網２９を介して押圧されたものであるから、押し花のような趣を有する。
【００８４】
なお、上記第６工程が完了し、数時間から数日乃至数週間放置する間に、密封用袋２４を開封して、砂２２が湿気を含んでいるか否かにより生花３の乾燥度合いを調べても良いし、新たなシート状乾燥剤２１を追加したり、シート状乾燥剤２１を新しいものに交換したりすることも可能である。この場合、上記作業の完了後に再び密封用袋２４内の空気を強制的に減圧脱気して密封用袋２４を密封して、数時間から数日乃至数週間放置すれば良い。
【００８５】
以上のように、第３の実施の形態に係る植物の加工方法によれば、生花３を乾燥させてドライフラワーを作成するにあたって、上記第１の実施の形態と同様の効果が得られる。
すなわち、生花３の変色や褪色が生じない程度の短時間でドライフラワーにすることができ、乾燥中、生花３の各部が砂２２の重みにより押圧されるので、乾燥の過程において皺を生じない上、縮みが効果的に抑制される。また、生花３の隙間に砂２２が入り込むことで、生花３の形を崩すことなく生花３を乾燥させることができ、皺や縮みを確実に抑制できる。また、砂２２が生花３の花弁等に強固に付着することがないので、花弁が薄く破れやすい花であっても何ら問題なく加工できる。また、小さな花であっても何ら問題なく加工できる。
【００８６】
さらに、第３の実施の形態に係る植物の加工方法においては、容器１６の全体を密封用袋２４に入れて減圧脱気し、密封用袋２４を密封する。これにより、迅速かつ効率よく、生花３を乾燥させることができる。また、減圧脱気によって、密封用袋２４が大気圧により押圧され、生花３が砂２２によって強く押圧されるので、生花３の皺や縮みを確実に抑制できる。また、生花３が減圧環境下におかれることで生花３に含まれる水分が外へ放出されやすくなり、短時間で生花３を乾燥させることができる。さらに、生花３に触れる酸素が極めて少量になるので、生花３の酸化が強く抑制され、生花３の変色や褪色を確実に防止できる。
【００８７】
その上、密封用袋２４内の空気を減圧脱気して密封用袋２４を密封することにより、押さえ網２９を介して、生花３に対する平面的な押圧力が継続して加わることとなる。これにより、生花３に対して、全体を平面的に、かつ継続して押圧する力が加わるため、生花３の花弁等を押しつぶして破壊することなく、生花３を平面的な形状に加工できる。これにより、従来のドライフラワーの作成方法及び従来の押し花の作成方法によっても得られない、独特の趣を有する、優れた美観を有するドライフラワーを作成できる。
【００８８】
なお、上記各実施の形態において、容器１１，１２，１３，１４，１５，１６，１７を構成する材料としては、例えば、アクリルやポリプロピレン、ポリスチレン等の合成樹脂、木材、紙、アルミニウムやステンレス等の金属、ガラス等が挙げられるが、強度の面で不足が無ければ、任意の材料を用いることができる。また、容器１１，１２，１３，１４，１５，１６，１７のサイズは、加工しようとする花のサイズや、一度に加工しようとする花の数等に応じて任意に決定して良い。さらに、容器１１，１２，１３，１４，１５，１６，１７の形状は、直方体や円筒形状等の強固な面を有する形状に限定されず、生花３、３ａ、シート状乾燥剤２１及び必要な量の砂２２を入れた状態において一定の形状を保つことが可能であれば良い。従って、例えば、可撓性のフィルムを略円筒形状や略直方体形状又は略球形状に成形した袋であっても良い。この場合、上記袋を密封可能なものとすれば、容器１１，１２，１３，１４，１５，１６，１７としての機能と、密封用袋２４の機能とを兼ね備えるものとすることができる。
【００８９】
また、上記各実施の形態においては生花３，３ａを加工する場合について説明したが、当然のことながら、本発明は、花だけでなく生の植物全般に適用することが可能である。従って、生花３のような切り花や、生花３ａのように茎を長く残して切った花だけでなく、葉や、葉と茎のみを加工することも可能である。
【００９０】
また、シート状乾燥剤２１に用いる乾燥剤は任意であって、例えば、化学的に水分子と結合又は反応しようとする性質を有するものや、物理的に水分子を吸着しようとする性質を有するものを用いることができ、具体的には、塩化カルシウム、酸化カルシウム（生石灰）、塩化リチウム、塩化マグネシウム、これらの化合物の水和物（例えば、塩化マグネシウム二水和物等）、無水硫酸マグネシウム、シリカゲル等を用いることが可能である。
【００９１】
さらに、容器内においてシート状乾燥剤２１を配置する場所は、容器の底面や側面、砂２２の上面等に限定されない。上述のように砂２２が通気性を有するので、シート状乾燥剤２１は、生花３，３ａとともに密封されている限りにおいて、生花３，３ａから離れていても生花３，３ａに含まれる水分を吸収することが可能である。従って、シート状乾燥剤２１は任意の場所に配置することができる。
さらに、密封用袋２４を用いてシート状乾燥剤２１を生花３，３ａや砂２２とともに密封する場合には、容器の外側に配置したシート状乾燥剤２１を容器とともに密封用袋２４に入れ、密封用袋２４を密封しても良い。
【００９２】
また、生花３，３ａとともに密封するシート状乾燥剤２１の数量は任意であるが、生花３，３ａに含まれる水分を十分に吸収できることが望ましい。従って、生花３，３ａに含まれる全水分量の２倍乃至３倍の水分を吸収できる量のシート状乾燥剤２１を生花３，３ａとともに密封すれば、確実に生花３，３ａを乾燥させることができる。なお、一般に、花に含まれる水分は花全体の重量の７０％程度を占めるといわれているので、花の重量の１．４倍〜２．１倍程度に相当する水分を吸収できるだけのシート状乾燥剤２１を花とともに密封すれば十分であるといえる。
【００９３】
また、上記の各実施の形態においてはシート状乾燥剤２１を用いたが、本発明はこれに限定されず、他の形状の乾燥剤を用いることも可能である。ここで、他の形状の乾燥剤とは、例えば、シート状乾燥剤２１に用いる上記の各種乾燥剤を、例えば粒状に形成して、通気性を有する外装（袋等）に封入したもの等である。
【００９４】
また、上記の各実施の形態において、砂２２は、上記のように乾燥中の生花３，３ａを押圧することで花弁や葉の縮み及び皺の発生を抑制する効果があり、かつ、生花３，３ａの水分をシート状乾燥剤２１によって吸収するための通気性を有するものであれば良いので、生花３，３ａに対して重力による押圧力を効果的に加えることが可能な程度の密度、及び、所定の粒径を有するものであれば良い。従って、砂２２の材料、すなわち砂２２に含まれる鉱物の種類等は特に限定されず、砂に代えて、金属粒、ガラス粒、セラミックスや合成樹脂を粒状に加工した粒状体等を用いることも可能である。なお、砂２２に代えて、生花３，３ａの水分を吸収して生花３，３ａを乾燥させるもの（すなわち、乾燥剤）の粒を用いた場合、これらの粒が生花３，３ａの表面に強固に付着する可能性がある。従って、砂２２を代替するものとしては、乾燥剤として機能するほどの水分吸収力を持たないものが好適である。
また、砂２２の粒径は、花弁や葉の表面に肉眼で確認できるような跡が残りにくいという点で、０．５ｍｍ（ミリメートル）以下であれば、好ましい。さらに、十分な通気性を確保することができ、かつ、生花３，３ａが一般的な装飾用・観賞用の花である場合に花弁の隙間などの狭い隙間に入り込むことができるという点で、砂２２の粒径が０．１以上０．３ｍｍ以下の範囲内であると、より好ましい。
なお、上記各実施の形態としての花の加工方法は生花３，３ａを乾燥させるための方法であるから、砂２２としては、予め加熱により水分が除去された砂（いわゆる焼き砂）を用いると、より好ましい。
【００９５】
また、カバー２３を構成する材料としては、紙、布、不織布等を用いることが可能であるが、合成繊維等の繊維からなる極めて目の細かい網を用いることも可能であるし、合成樹脂製のフィルムを用いても良い。
【図面の簡単な説明】
【００９６】
【図１】本発明の第１の実施の形態に係る植物の加工方法を示す図である。
【図２】本発明の第１の実施の形態に係る植物の加工方法を示す図である。
【図３】本発明の第１の実施の形態に係る植物の加工方法を試行した場合の花の縮みを示す図表である。
【図４】本発明の第１の実施の形態に係る変形例を示す図である。
【図５】本発明の第１の実施の形態に係る変形例を示す図である。
【図６】本発明の第２の実施の形態に係る植物の加工方法を示す図である。
【図７】本発明の第２の実施の形態に係る植物の加工方法を示す図である。
【図８】本発明の第２の実施の形態に係る植物の加工方法を試行した場合の花の縮みを示す図表である。
【図９】本発明の第２の実施の形態に係る変形例を示す図である。
【図１０】本発明の第２の実施の形態に係る変形例を示す図である。
【図１１】本発明の第３の実施の形態に係る植物の加工方法を示す図である。
【図１２】本発明の第３の実施の形態に係る植物の加工方法を示す図である。
【符号の説明】
【００９７】
１１，１２，１３，１４，１５，１６  容器
１７  容器
１８，１９  蓋
２１  シート状乾燥剤
２２  砂
２３  カバー
２４  密封用袋
２７  おもり
２８  クッション材
２９  押さえ網
３，３ａ  生花
【図１】
2005255620.tif 000004
【図２】
2005255620.tif 000005
【図３】
2005255620.tif 000006
【図４】
2005255620.tif 000007
【図５】
2005255620.tif 000008
【図６】
2005255620.tif 000009
【図７】
2005255620.tif 000010
【図８】
2005255620.tif 000011
【図９】
2005255620.tif 000012
【図１０】
2005255620.tif 000013
【図１１】
2005255620.tif 000014
【図１２】
2005255620.tif 000015